(57)【要約】【課題】機密保持モード設定者が設定した機密保持モードに係る印刷作業を完全に終わらないうちに、機密保持モード設定者以外の者によって、その印刷物および版胴上の製版済みのマスタの機密情報・内容を見ることができない状態にするのは無論のこと、他のユーザに対して、使い勝手が悪くならず、かつ、機密保持モード関連情報を把握させることが可能な孔版印刷装置を提供する。【解決手段】孔版印刷装置１において、機密保持モードを設定する機密保持キー７８を有し、機密保持キー７８により機密保持モードが設定されている場合、製版済みのマスタ３４における製版外エリア３４ｂの情報製版部３４ｃまたは３４ｄに機密保持モードに関連する機密関連情報として機密保持モード設定者に関する情報等を製版可能にすると共に、機密関連情報が製版されたマスタ３４の情報製版部３４ｃまたは３４ｄだけを印刷可能にした。【選択図】図８
2010137523.tif 000002
【特許請求の範囲】
【請求項１】
製版済みのマスタを外周面上に巻装する版胴を有する印刷部と、マスタを製版し該製版済みのマスタを前記版胴に巻装する製版給版部と、前記版胴の外周面上より使用済みのマスタを剥離、廃棄する排版部と、前記印刷部をして印刷動作を起動させる印刷起動信号を生成する印刷起動手段と、前記排版部をして排版動作を起動させる排版起動信号および前記製版給版部をして製版給版動作を起動させる製版起動信号を生成する製版起動手段とを具備し、前記印刷起動信号に基づいて前記印刷部を作動させて印刷を行い、前記排版起動信号および前記製版起動信号に基づいて、前記排版部によって前記版胴の外周面上より使用済みのマスタを除去した後、前記製版給版部によって前記版胴の外周面上に新しい製版済みのマスタを巻装する印刷装置において、
印刷を行う者以外にその印刷物およびその製版済みのマスタの内容を知られたくない場合に機密保持モードを設定する機密保持モード設定手段を有し、
前記機密保持モード設定手段により前記機密保持モードが設定されている場合、マスタの製版外エリアに前記機密保持モードに関連する機密関連情報を製版可能にすると共に、該機密関連情報が製版されたマスタの前記製版外エリア部位だけを印刷可能にしたことを特徴とする印刷装置。
【請求項２】
請求項１記載の印刷装置において、
前記機密関連情報は、機密保持モード設定者に関する情報であることを特徴とする印刷装置。
【請求項３】
請求項２記載の印刷装置において、
前記機密関連情報は、前記機密保持モード設定者が設定する機密保持モード設定時間および機密保持モード解除可能時間であることを特徴とする印刷装置。
【請求項４】
請求項２または３記載の印刷装置において、
前記機密保持モード設定者が、前記機密関連情報を設定し、かつ、前記機密関連情報が製版されたマスタの前記製版外エリア部位だけを印刷可能に設定したとき、前記製版起動信号の入力を無効とすることを特徴とする印刷装置。
【請求項５】
請求項１ないし４の何れか一つに記載の印刷装置において、
前記機密関連情報が製版されたマスタの前記製版外エリア部位だけを印刷すべく設定する機密関連情報印刷設定手段を有することを特徴とする印刷装置。
【請求項６】
請求項２記載の印刷装置において、
前記機密保持モードの設定を解除する機密保持モード解除手段が、前記製版起動手段からなり、
前記製版起動手段からの前記製版起動信号によって前記機密保持モードの設定が解除されたとき、前記機密保持モード設定者に関する情報を自動的に取り消すことを特徴とする印刷装置。
【請求項７】
請求項３記載の印刷装置において、
前記機密保持モードの設定を解除する機密保持モード解除手段が、前記製版起動手段からなり、
前記機密保持モード設定者が設定した前記機密保持モード設定時間を超えたとき、前記製版起動手段からの前記製版起動信号の入力のみ有効とすることを特徴とする印刷装置。
【発明の詳細な説明】
【技術分野】
【０００１】
本発明は、製版済みのマスタを版胴の外周面上に巻装して印刷を行う孔版印刷装置を含む印刷装置に関する。
【背景技術】
【０００２】
従来より、簡便な印刷方法としてデジタル式感熱孔版印刷が知られている。これは、熱可塑性樹脂フィルムとインキ通過性の多孔性支持体とを貼り合わせてなる感熱孔版マスタ（以下、「マスタ」という）に微細な発熱素子が１列に並んだサーマルヘッドを接触させ、この発熱素子に対しパルス的に通電を行いながらマスタをプラテンローラ等のマスタ搬送手段で搬送しながら、画像情報に応じてマスタの熱可塑性樹脂フィルム部分を加熱溶融穿孔させて穿孔画像を形成した後、この製版済みのマスタを版胴に巻装させ、プレスローラ等の押圧手段によって印刷用紙を多孔性円筒状の版胴の外周面に押圧させることで、版胴の開孔部およびマスタの穿孔部分からインキを滲出させ、このインキを印刷用紙に転移させて印刷画像を得るものである。
【０００３】
上記孔版印刷を行う孔版印刷装置において、印刷を行う者以外にその印刷物およびその製版済みのマスタの内容を知られたくない場合に機密保持モードを設定可能な孔版印刷装置が提案されている（例えば特許文献１および２参照）。
すなわち、特許文献１記載の発明は、外周面上に製版済みマスタを巻装して回転駆動される多孔性円筒状の版胴を有する印刷部と、マスタを製版し前記製版済みマスタを前記版胴に巻装させる製版部と、前記版胴の外周面上より使用済みのマスタを剥離、廃棄する排版部と、印刷スタートキー（印刷起動手段）と、製版スタートキー（製版起動手段）とを具備し、前記印刷スタートキーが押されたときには前記印刷部を作動させて印刷を行い、前記製版スタートキーが押されたときには前記排版部によって前記版胴の外周面上より前記使用済みのマスタを除去した後、前記製版部によって前記版胴の外周面上に新しい製版済みマスタを巻装させる孔版印刷装置において、印刷を行う者以外にその印刷物の内容を知られたくない場合に機密保持モードを設定する機密保持キーと、前記機密保持キーが押されたときには前記製版スタートキーからの入力のみを有効とすると共に、前記機密保持モード時において前記製版スタートキー以外のキーが押された場合には前記機密保持モードを継続し、前記製版スタートキーが押されたときのみ前記機密保持モードを解除させる制御手段とを具備し、前記版胴が孔版印刷装置本体に対して着脱自在であり、前記制御手段は前記機密保持キーが押されたときに前記版胴の前記孔版印刷装置本体からの離脱を禁止することを特徴とするものである。
【０００４】
特許文献２記載の発明は、製版済みの版を巻装する印刷ドラムを備え装置本体に対して着脱自在なドラムユニット、原稿の画像を読み取る原稿読取手段を備え上記装置本体に対して開閉自在な読取ユニット、版を製版する製版手段を備え上記装置本体に対して着脱自在な製版ユニットおよび上記印刷ドラムから剥離された使用済みの版を収納する収納手段を備え上記装置本体に対して着脱自在な排版ユニットのうちの上記ドラムユニット単独の場合を除く少なくとも一つのユニットを具備し、上記印刷ドラム上の製版済みの版に用紙を押し付けることにより印刷画像を形成する印刷装置において、印刷を行う者以外に上記印刷ドラム上の製版済みの版の情報および印刷物の情報を知られたくない場合に機密保持モードを設定する機密保持モード設定手段と、上記機密保持モード設定手段により上記機密保持モードが設定されたとき、上記少なくとも一つのユニットの上記装置本体からの離脱を阻止するための、上記少なくとも一つのユニットごとに配設されたロック手段とを有することを特徴とするものである。
【０００５】
【特許文献１】特許第３５６６３６７号公報
【特許文献２】特開２００５−１５３２２４号公報
【発明の開示】
【発明が解決しようとする課題】
【０００６】
しかしながら、特許文献１および２記載の技術では、機密保持モード設定者以外の他のユーザが、機密保持モード設定者によって上記機密保持モードが設定されている孔版印刷装置を使用しようとした場合、機密保持モード設定状態であること以外分からず、使い勝手が悪いという問題点がある。
一方で、操作パネル等に機密保持モード設定状態に関連する情報（以下、「機密保持モード関連情報」ともいう）が表示・報知されていて、その孔版印刷装置の前を通る者がその情報を見ることができるのもセキュリティ上よくない。
本当に、孔版印刷装置を使いたい他のユーザが機密保持モード関連情報を見ることができる状態にしたい。
【０００７】
そこで、本発明は、上述した事情に鑑みてなされたものであり、機密保持モード設定者が設定した機密保持モードに係る印刷作業を完全に終わらないうちに、機密保持モード設定者以外の者によって、その印刷物および版胴上の製版済みのマスタの機密情報・内容を見ることができない状態にするのは無論のこと、他のユーザに対して、使い勝手が悪くならず、かつ、機密保持モード関連情報を把握させることが可能な孔版印刷装置を含む印刷装置を実現し提供することを主な目的とする。
【課題を解決するための手段】
【０００８】
上述した課題を解決すると共に上述した目的を達成するために、請求項ごとの発明では、以下のような特徴ある手段・発明特定事項（以下、「構成」という）を採っている。
請求項１記載の発明は、製版済みのマスタを外周面上に巻装する版胴を有する印刷部と、マスタを製版し該製版済みのマスタを前記版胴に巻装する製版給版部と、前記版胴の外周面上より使用済みのマスタを剥離、廃棄する排版部と、前記印刷部をして印刷動作を起動させる印刷起動信号を生成する印刷起動手段と、前記排版部をして排版動作を起動させる排版起動信号および前記製版給版部をして製版給版動作を起動させる製版起動信号を生成する製版起動手段とを具備し、前記印刷起動信号に基づいて前記印刷部を作動させて印刷を行い、前記排版起動信号および前記製版起動信号に基づいて、前記排版部によって前記版胴の外周面上より使用済みのマスタを除去した後、前記製版給版部によって前記版胴の外周面上に新しい製版済みのマスタを巻装する印刷装置において、印刷を行う者以外にその印刷物およびその製版済みのマスタの内容を知られたくない場合に機密保持モードを設定する機密保持モード設定手段を有し、前記機密保持モード設定手段により前記機密保持モードが設定されている場合、マスタの製版外エリアに前記機密保持モードに関連する機密関連情報を製版可能にすると共に、該機密関連情報が製版されたマスタの前記製版外エリア部位だけを印刷可能にしたことを特徴とする。
【０００９】
請求項２記載の発明は、請求項１記載の印刷装置において、前記機密関連情報は、機密保持モード設定者に関する情報であることを特徴とする。
【００１０】
請求項３記載の発明は、請求項２記載の印刷装置において、前記機密関連情報は、前記機密保持モード設定者が設定する機密保持モード設定時間および機密保持モード解除可能時間であることを特徴とする。
【００１１】
請求項４記載の発明は、請求項２または３記載の印刷装置において、前記機密保持モード設定者が、前記機密関連情報を設定し、かつ、前記機密関連情報が製版されたマスタの前記製版外エリア部位だけを印刷可能に設定したとき、前記製版起動信号の入力を無効とすることを特徴とする。
【００１２】
請求項５記載の発明は、請求項１ないし４の何れか一つに記載の印刷装置において、前記機密関連情報が製版されたマスタの前記製版外エリア部位だけを印刷すべく設定する機密関連情報印刷設定手段を有することを特徴とする。
【００１３】
請求項６記載の発明は、請求項２記載の印刷装置において、前記機密保持モードの設定を解除する機密保持モード解除手段が、前記製版起動手段からなり、前記製版起動手段からの前記製版起動信号によって前記機密保持モードの設定が解除されたとき、前記機密保持モード設定者に関する情報を自動的に取り消すことを特徴とする。
【００１４】
請求項７記載の発明は、請求項３記載の印刷装置において、前記機密保持モードの設定を解除する機密保持モード解除手段が、前記製版起動手段からなり、前記機密保持モード設定者が設定した前記機密保持モード設定時間を超えたとき、前記製版起動手段からの前記製版起動信号の入力のみ有効とすることを特徴とする。
【発明の効果】
【００１５】
本発明によれば、上記課題を解決して新規な孔版印刷装置を含む印刷装置を実現し提供することができる。請求項ごとの発明の効果を挙げれば、以下のとおりである。
請求項１ないし４記載の発明によれば、上記構成により、機密保持モード設定者が印刷作業を完全に終わらないうちに、他のユーザによって、機密保持した製版済みのマスタを排版されてしまうことがなくなる。さらには、他のユーザに対して機密保持モード設定者の情報を把握させることができることで、他のユーザに誤解を与えず、使い勝手も悪くならない。
【００１６】
請求項５記載の発明によれば、上記構成により、本当に孔版印刷装置を使いたい他のユーザのみが、機密保持モード設定者に関する情報取得を可能となるだけでなく、その使用理解度が上がり、使い易さも向上する。
【００１７】
請求項６記載の発明によれば、上記構成により、機密保持モード設定者に関する情報が自動的に取り消されることで、個人情報漏洩が防止できる。
【００１８】
請求項７記載の発明によれば、上記構成により、機密保持モード設定者が設定した機密保持モード設定時間を超えたとき、製版起動手段からの製版起動信号の入力のみ有効とするので、機密保持モード設定者が機密保持モードの解除を忘れた場合でも他のユーザが使用できなくなることがない。
【発明を実施するための最良の形態】
【００１９】
以下、図を参照して実施例を含む本発明の実施の形態（以下、「実施形態」という）を説明する。各実施形態等に亘り、同一の機能および形状等を有する構成要素（部材や構成部品）等については、一度説明した後では同一符号を付すことによりその説明を省略する。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００２０】
図１〜図１４を参照して、本発明の一実施形態を説明する。
まず、図１を参照して、本実施形態に係る印刷装置の一例としての孔版印刷装置１の全体構成について説明する。同図において、孔版印刷装置１は、印刷部２、製版給版部３、給紙部４、排版部５、排紙部６から主に構成されている。
【００２１】
印刷部２は、版胴７、インキ供給手段８、プレスローラ９から主に構成されている。
版胴７は、特許文献１の段落「００１３」に記載されていると同様の材料で多孔性円筒状に形成されている周知のものからなる。版胴７は、版胴駆動手段としての版胴駆動モータ１２によって図１の矢印Ａ方向に回転駆動される。
版胴７の外周面上には、特許文献１の段落「００１３」に記載されていると同様の材料およびメッシュ数で形成された図示しないメッシュスクリーンが１〜３層程度巻装されている。さらに版胴７の外周面上には、版胴７の軸線と同方向に延在するステージ部１０と、ステージ部１０と共にマスタの先端を挟持するマスタ保持手段としてのクランパ１１とが配設されている。クランパ１１は、支軸１１ａに揺動自在に支持され、ステージ部１０に対して開閉・接離自在に設けられている。
【００２２】
版胴７の内部には、インキ供給手段８が配設されている。インキ供給手段８は、インキ供給パイプ１３、インキローラ１４、ドクターローラ１５から主に構成されている。
インキ供給パイプ１３は、版胴７の支持軸を兼ねており、その一端を孔版印刷装置１の筐体側板（図示せず）に回転自在に支持されている。インキ供給パイプ１３の表面には、版胴７の内部にインキを供給するための無数の小さな孔が穿設されている。インキ供給パイプ１３の下方には、インキローラ１４とドクターローラ１５とが配設されている。インキローラ１４は、その外周面を版胴７の内周面と僅かな隙間を保って、版胴７の側板（図示せず）に回転自在に支持されている。インキローラ１４の外周面は、プレスローラ９が版胴７の外周面に圧接したときに、版胴７の内周面に接触し、インキ供給パイプ１３より供給されたインキを版胴７の内周面に供給する。
【００２３】
インキローラ１４の近傍には、回転自在なドクターローラ１５が配設されている。ドクターローラ１５は、その外周面とインキローラ１４の外周面との間に僅かな間隙が生じるように配設されており、インキローラ１４との外周面の近接部において、楔状のインキ溜まり１６を形成する。インキ供給パイプ１３よりインキ溜まり１６へと供給されたインキは、インキローラ１４とドクターローラ１５との間隙を通過することにより均一な層状とされ、インキローラ１４の外周面に供給される。
【００２４】
図２を参照して、版胴７の駆動機構を説明する。この版胴７の駆動機構は、特許文献１の図２に示されていると同様の構成である。
版胴７の各端部は、円板状の一対の端板７ａ，７ｂの外周部に固着されている。版胴７の一方の端板７ａの外壁面には、インキ供給パイプ１３を中心としたギヤ１７が、インキ供給パイプ１３と僅かに隙間をもって固着されている。インキ供給パイプ１３の図示を省略した先端部は、ギヤ１７を貫通して、孔版印刷装置１の図示しない筐体側板に支持されている。端板７ａにおける版胴７の外周縁寄りの外壁面には、版胴７の回転位置被検知用の、版胴７の軸方向に延出する遮光部材であるドグ２５が固着されている。また、一方の端板７ａと他方の端板７ｂの外方のインキ供給パイプ１３には、版胴７を軸方向に跨ぐように、版胴７を持ち運ぶための略コ字状をなす図示しない取手が取り付けられている。他方の端板７ｂ側の図示しない取手部分には、インキ供給パイプ１３へ供給するインキを補充するための図示しないインキ供給装置が設けられている。
【００２５】
ギヤ１７は、ギヤ部１７ａとフランジ部１７ｂとを有しており、ギヤ部１７ａが端板７ａ側に位置するように配設され、フランジ部１７ｂの一部が切り欠かれている。ギヤ１７の近傍には、ギヤ部１７ａと噛合するギヤ部１８ａとフランジ部１８ｂとを有し、孔版印刷装置１の筐体に回転自在に支持された支軸１８ｃの一端部に固着されたギヤ１８が配設されている。ギヤ１８は、フランジ部１８ｂが端板７ａ側に位置するように配設され、フランジ部１８ｂの一部がフランジ部１７ｂと同様に切り欠かれている。ギヤ１７とギヤ１８とは、互いの切り欠き部が一致した状態においてのみ版胴７の軸方向（版胴の着脱方向でもある）に係脱自在となっており、他の状態では噛み合った各ギヤ部１７ａ，１８ａが各フランジ部１７ｂ，１８ｂに挟まれて、係合状態を解除できないように構成されている。版胴７は、孔版印刷装置１の筐体に設けられた図示しないレール部材に、前述の図示しない取手を係合可能に構成されており、各フランジ部１７ｂ，１８ｂの切り欠き部が一致する図の状態において、図の白抜き矢印で示す方向に抜き出すことにより、孔版印刷装置１からの取り外しが可能となっている。
【００２６】
版胴７の回転に伴って移動するドグ２５の円軌道上には、それぞれ光透過型フォトセンサからなるホームポジションセンサ２６と機密モード位置センサ２７とが配設されている。各センサ２６，２７は、孔版印刷装置１の筐体に取り付けられており、ドグ２５がその検知部を通過する際に、後述する制御手段８０へ向けて信号を出力する。ホームポジションセンサ２６は、フランジ部１７ｂの切り欠き部とフランジ部１８ｂの切り欠き部とが一致する位置においてドグ２５を検知するように配設されている。フランジ部１７ｂの切り欠き部とフランジ部１８ｂの切り欠き部とが一致する位置は、また、クランパ１１が図１において拡開して待機する給版位置に対応して、すなわち版胴７のホームポジションとして設定されている。
【００２７】
支軸１８ｃの他端部には、歯付プーリ１９が固着されている。この歯付プーリ１９は、孔版印刷装置１の筐体に取り付けられた版胴駆動モータ１２の出力軸端に固着された歯付プーリ２０と、タイミングベルト２１によって連結されている。版胴駆動モータ１２の出力軸には、エンコーダ２２が固着されており、版胴駆動モータ１２は、孔版印刷装置１の筐体に取り付けられたパルス検出センサ２３によってその回転角度を検出され、その検出された角度信号は、図示しないパルスカウンタおよび比較器を通過した後、後述する制御手段８０に入力される。
【００２８】
上述の構成により、版胴駆動モータ１２の回転駆動力が、その出力軸、歯付プーリ２０、タイミングベルト２１、歯付プーリ１９、支軸１８ｃ、ギヤ１８、ギヤ１７とこの順に伝達されて、版胴７がインキ供給パイプ１３を中心に回転駆動される。
【００２９】
版胴７の下方には、インキローラ１４と対向する配置状態でプレスローラ９が配設されている。プレスローラ９は、図３および図４に示すプレスローラ接離機構１５５によって、その外周面を所定の範囲の版胴７の外周面に対して接離自在に設けられている。プレスローラ９は、後述する給紙部４より給送される印刷用紙を版胴７上の製版済みのマスタに押圧し、印刷用紙に印刷画像を形成させる。プレスローラ接離機構１５５は、後述する。
【００３０】
印刷部２の右斜め上方には、マスタを製版し該製版済みのマスタを版胴７に巻装する製版給版部３が配設されている。製版給版部３は、マスタ貯容手段２８、製版手段２９、切断手段３０、搬送手段３１等から主に構成されている。
【００３１】
マスタ貯容手段２８は、孔版印刷装置１の筐体の製版側板対に固着されたマスタロール支持部材３３等から主に構成されている。マスタロール支持部材３３は、マスタ３４をロール状に巻成したマスタロール３４Ａの芯部３４Ａａを回転自在に支持している。
マスタ貯容手段２８の左方には、製版手段２９が配設されている。製版手段２９は、マスタ搬送手段としてのプラテンローラ３６、サーマルヘッド３７等から主に構成されている。プラテンローラ３６は、図示しない筐体の製版側板対に回転自在に支持されている。プラテンローラ３６は、マスタ搬送駆動手段としてのステッピングモータからなるマスタ搬送モータ３５によって回転駆動される。
多数の発熱素子を有するサーマルヘッド３７は、図示しない筐体の側板に取り付けられており、図示しない付勢手段によって付勢され、図示しないサーマルヘッド接離手段によりプラテンローラ３６に接離自在に設けられている。サーマルヘッド３７は、製版時には図示しないサーマルヘッド接離手段によってプラテンローラ３６に圧接される。
【００３２】
製版手段２９のマスタ搬送方向Ｘ下流側には、筐体に取り付けられた固定刃３０ａと、この固定刃３０ａに対して回転移動する可動刃３０ｂとからなる切断手段３０が配設されている。切断手段３０のマスタ搬送方向Ｘ下流側には、マスタ搬送モータ３５に連結され図示しないギヤ列等からなる駆動力伝達手段を介して、マスタ搬送モータ３５によって回転駆動される駆動ローラ３１ａ，３１ｃと、各駆動ローラ３１ａ，３１ｃと連れ回りする従動ローラ３１ｂ，３１ｄとから構成される搬送ローラ対３１ａ，３１ｂ、３１ｃ，３１ｄ等からなるマスタ搬送手段３１、およびマスタを案内するガイド板３８，３９等がそれぞれ配設されている。
製版済みのマスタ３４を版胴７の外周面に巻装する給版手段は、駆動ローラ３１ｃ、従動ローラ３１ｄ、マスタ搬送モータ３５、クランパ１１、版胴駆動モータ１２、クランパ１１を開閉する図示しない開閉手段等から構成される。
【００３３】
図５を参照して、製版給版部３で製版可能なマスタ３４の領域について説明する。図５は、製版済みのマスタ３４の先端部が版胴７（同図には図示せず）のクランパ１１で挟持される状態の展開図を示している。
一般的な製版印刷一体型の孔版印刷装置を始めとして、孔版印刷装置１では、図５に示すように、画像情報（画像データ信号）に応じて、マスタ３４に対して製版することが可能な通常の領域である「製版エリア３４ａ」が決まっているが、そのマスタ３４の中で製版エリア３４ａの前後には画像の天地を移動させるためのエリアが存在し、大半の場合は、この部分に製版されることはない。
本実施形態では、製版エリア３４ａの前後に存在する画像の天地を移動させるためのエリアを利用して情報製版部３４ｃ，３４ｄを設定し、後述する機密保持モードが設定されている場合、機密保持モードに関連する機密関連情報として、機密保持モード設定者に関する情報等を情報製版部３４ｃ，３４ｄに製版可能に構成したことを一つの特徴としている。情報製版部３４ｃ，３４ｄは、同図においてハッチを施して示す製版外エリア３４ｂに属す。製版外エリア３４ｂは、製版エリア３４ａの左右（マスタ幅方向）にも存在する。
【００３４】
図１において、製版給版部３の各構成部材間および搬送ローラ対３１ｃ，３１ｄのニップ部から版胴７の給版位置（ホームポジション）で拡開しているクランパ１１とステージ部１０との挟持部までの各距離は決まっていて、マスタ搬送手段を構成するプラテンローラ３６、駆動ローラ３１ａ，３１ｃがステッピングモータからなるマスタ搬送モータ３５によって回転駆動されるので、マスタ搬送モータ３５に付与されるパルス数（あるいはステップ数）によって、マスタ３４の搬送量（搬送距離）およびを正確に制御できる。
従って、製版外エリア３４ｂにおける情報製版部３４ｃ，３４ｄへの製版は、製版給版部３において、マスタ搬送モータ３５に付与するパルス数とサーマルヘッド３７での製版開始タイミングとを変更するだけで容易に製版することができる。
【００３５】
印刷部２の上方であって筐体の上部には、原稿画像を読み取る原稿読取部３２が配設されている。原稿読取部３２は、ＡＤＦユニット４０、コンタクトガラス４１、蛍光灯４２、ミラー群４３、レンズ４４、画像読取センサ４５等を有する周知の構成である。
【００３６】
製版給版部３の右斜め下方には、給紙部４が配設されている。給紙部４は、給紙トレイ４６、給紙ローラ４７、分離手段４８、レジストローラ対４９等から主に構成されている。
給紙台としての給紙トレイ４６は、その上面に印刷用紙Ｐを積載される印刷用紙Ｐの増減と連動して、筐体に上下動自在に支持されている。また、給紙トレイ４６には、一対のサイドフェンス５１と、一対のサイドフェンス５１の移動に伴って印刷用紙Ｐの幅を検知する印刷用紙幅検知センサ５２とが設けられている。
【００３７】
給紙手段としての給紙ローラ４７は、給紙トレイ４６上の最上位の印刷用紙Ｐと当接するように設けられており、ステッピングモータ等の図示しない駆動手段で回転駆動される。給紙ローラ４７は、図示しないタイミングベルトおよび歯付プーリ等の駆動力伝達手段を介して駆動ローラ４８ａに連結されている。分離手段４８は、上記ステッピングモータ等の図示しない駆動手段で回転駆動される駆動ローラ４８ａと、駆動ローラ４８ａと当接するように配設された分離ローラ４８ｂとからなる。分離手段４８は、給紙ローラ４７によって複数枚の印刷用紙が引き出された場合、その最上位の１枚のみを分離するように構成されている。
レジストローラ対４９は、分離手段４８によって給送されてくる印刷用紙Ｐの先端をそのニップ部に一時的に停止させてスキューなどを矯正した後、版胴７上の製版済みのマスタの製版画像と印刷用紙Ｐとが合致する所定のタイミングで、印刷用紙Ｐの先端部をくわえ込み、回転している版胴７の外周面と上昇してくるプレスローラ９との間に印刷用紙Ｐを送り出すレジスト手段として機能する。図において下側のレジストローラ４９は、図示しないタイミングベルトおよび歯付プーリ等の駆動力伝達手段を介して、ステッピングモータからなるレジストモータ５０に連結されていて、レジストモータ５０によって回転駆動される。
【００３８】
印刷部２の左方には、排版部５が配設されている。排版部５は、上部排版部材５３、下部排版部材５４、排版ボックス５５、圧縮板５６等から主に構成されている。
上部排版部材５３は、図示しない駆動手段で回転駆動される駆動ローラ５７と従動ローラ５８、および各ローラ間に掛け渡されたゴムベルト５９から構成されている。下部排版部材５４は、駆動ローラ５７と図示しないギヤによって連結され回転駆動される駆動ローラ６０と従動ローラ６１、および各ローラ間に掛け渡されたゴムベルト６２から構成されている。下部排版部材５４は、駆動ローラ５７の支軸を中心に、図示しない移動手段によって左右方向に移動自在に設けられており、駆動ローラ６０の外周面は、版胴７の外周面に対して接離自在となるように構成されている。排版ボックス５５は、内部に使用済みマスタを貯容する機能を有し、筐体に対して着脱自在に設けられている。排版ボックス５５の上方には、図示しない昇降手段によって図の実線位置と破線位置とを選択的に取り得る上下動自在な圧縮板５６が配設されている。
【００３９】
排版部５の下方には、排紙部６が配設されている。排紙部６は、剥離爪６３、従動ローラ６４、駆動ローラ６５、ゴムベルト６６、吸引ファン６７、排紙トレイ６８等から主に構成されている。
剥離爪６３は、版胴７の外周面からインキを転移された印刷用紙Ｐを剥離させる機能を有し、図示しない筐体側板に揺動自在に支持されている。剥離爪６３は、図示しない揺動手段により、その先端を版胴７の外周面に近接して版胴７の製版済みのマスタから印刷画像を形成された印刷用紙の先端部を剥離する剥離位置と、この剥離位置から離間した非剥離位置とを選択的に占めるように構成されている。また、剥離爪６３は、上記図示しない揺動手段により、版胴７の外周面上に存在するクランパ１１等の障害物がその先端と干渉しないように揺動可能に、版胴７の回転と同期が取られている。
【００４０】
従動ローラ６４と駆動ローラ６５とは、筐体側板に回転自在に支持されており、各ローラ間には、表面に複数の開孔を有するゴムベルト６６が掛け渡されている。駆動ローラ６５は、駆動手段としての図示しない排紙モータに連結された駆動力伝達手段を介して回転駆動され、この回転駆動力はゴムベルト６６を介して従動ローラ６４に伝達される。従動ローラ６４と駆動ローラ６５との間の下方には、ゴムベルト６６の表面に印刷画像を形成された印刷用紙Ｐを吸引するための吸引ファン６７が配設されている。駆動ローラ６５の印刷用紙搬送方向下流側には、印刷画像を形成された印刷用紙Ｐを積載する排紙台としての排紙トレイ６８が配設されている。排紙トレイ６８は、筐体に着脱自在に取り付けられている。
【００４１】
図３および図４を参照して、版胴７上の製版済みのマスタに対するプレスローラ９の押圧範囲を変える印圧範囲可変手段としてのプレスローラ接離機構１５５を説明する。
図３および図４に示すように、プレスローラ接離機構１５５は、カムフォロア１４１、印圧ばね１４２、多段カム１４３、図示しないプレスローラ係止手段、移動アーム１４８、段差カム１４９から主に構成されている。このプレスローラ接離機構１５５の作動によって、プレスローラ９は、図３に示す離間位置と図１に示した圧接位置とを選択的に占めることが可能になると共に、図５に示したマスタ３４の通常の製版エリア３４ａおよび情報製版部３４ｃ，３４ｄの何れか一つのエリアに対応した印刷が可能になる。
【００４２】
プレスローラ９は、金属製の軸部９ａにゴム等の弾性体を巻成して構成されており、版胴７の軸方向に延在して設けられている。プレスローラ９は、図３に示すように軸部９ａの紙面の手前側および奥側の両端部を一対のアーム部材１２０（紙面の手前側は省略）によって回転自在に支持されている。各アーム部材１２０は、略Ｌ字形状をなし、その曲折部近傍の部位に取り付けられた揺動軸１２１によってそれぞれ一体化されている。揺動軸１２１は、孔版印刷装置１の筐体側板によって所定角度の範囲で回動自在、すなわち揺動自在に支持されている。
【００４３】
図３に示すように、各アーム部材１２０の、プレスローラ９が支持された一端側と反対側の他端側には、それぞれ回転自在なカムフォロア１４１が互いに外側を向く態様で配設されている。また、カムフォロア１４１が配設された位置の各アーム部材１２０の近傍には、その一端を筐体側板に固着された印圧ばね１４２の他端がそれぞれ取り付けられている。この印圧ばね１４２により、各アーム部材１２０の一端側および他端側は、揺動軸１２１を中心にして図３において時計回り方向への回転付勢力をそれぞれ付与されている。
【００４４】
各カムフォロア１４１の左方近傍には、３枚のカム板１４３Ａ，１４３Ｂ，１４３Ｃを有する多段カム１４３がそれぞれ配設されている。各カム板１４３Ａ，１４３Ｂ，１４３Ｃは、両端を筐体側板に回転自在に、かつ、図３の紙面方向に移動自在に支持されたカム軸１４４にそれぞれ所定の間隔をもって固着されており、装置手前側から実線で示すカム板１４３Ｂ、破線で示すカム板１４３Ａ、二点鎖線で示すカム板１４３Ｃの順に配設されている。
各カム板１４３Ａ，１４３Ｂ，１４３Ｃは、カム軸１４４と同心の円板である小径部（基部）とそれぞれ同一突出量の大径部（凸部）とを有している。カム板１４３Ｂの小径部形状１４３Ｂａは、図３に示す狭い角度範囲の１箇所のみ、同様にカム板１４３Ｃの小径部形状１４３Ｃａは、図３に示す狭い角度範囲の１箇所のみである。
多段カム１４３は、図４に示すように、カム軸１４４に取り付けられた駆動ギヤ１４５および筐体側板に回転自在に支持された支軸１４６に取り付けられた伝達ギヤ１４７を介して、版胴駆動モータ１２からの回転駆動力を伝達され、図３において時計回り方向に回転駆動される。
【００４５】
プレスローラ９は、各カム板１４３Ａ，１４３Ｂ，１４３Ｃの何れかの大径部がカムフォロア１４１と当接したときにその外周面が版胴７の外周面より離間する図３に示す離間位置を占め、何れかの大径部とカムフォロア１４１との当接が解除されたときに印圧ばね１４２の付勢力によってその外周面が版胴７の外周面に圧接する図１に示す圧接位置を占める。各カム板１４３Ａ，１４３Ｂ，１４３Ｃは、プレスローラ９が圧接位置を占めたときに、印圧ばね１４２の付勢力が完全に付与されるように、その小径部とカムフォロア１４１とが接触しないように構成されている。
【００４６】
各カム板１４３Ａ，１４３Ｂ，１４３Ｃの小径部の形成範囲は、プレスローラ９と、図５に示した版胴７のクランパ１１によって挟持された製版済みのマスタ３４との接触範囲が、カム板１４３Ａでは通常の製版エリア３４ａとなるように、カム板１４３Ｂでは情報製版部３４ｃと同じ範囲となるように、カム板１４３Ｃでは情報製版部３４ｄと同じ範囲となるようにそれぞれ形成されている。また、各カム板１４３Ａ，１４３Ｂ，１４３Ｃ間の間隔は、アーム部材１２０の板厚よりも十分に大きくなるように設定されている。
【００４７】
図３において、各アーム部材１２０の右方近傍には、プレスローラ９が離間位置を占めた状態で各アーム部材１２０の揺動を禁止する、図示しないプレスローラ係止手段が配設されている。図示しないプレスローラ係止手段は図示しないソレノイドを有しており、この図示しないソレノイドのオン・オフの切り換えによって各アーム部材１２０を保持する状態とその保持を解除する状態とが選択的に切り換えられる。図示しないソレノイドは、カムフォロア１４１が各カム板１４３Ａ，１４３Ｂ，１４３Ｃの何れか一つの大径部と当接した状態で作動される。
【００４８】
カム軸１４４の下方近傍には、図４に示すように移動アーム１４８と段差カム１４９とが配設されている。移動アーム１４８は、略Ｌ字形状をなし、筐体側板に回転自在に支持された支軸１４８ａにその曲折部を取り付けられている。移動アーム１４８の一端には、ローラ１４８ｂが、他端にはカムフォロア１４８ｃがそれぞれ回転自在に取り付けられている。さらに、移動アーム１４８の他端と曲折部との間の部位には、その一端を筐体側板に取り付けられた引張ばね１５０の他端が取り付けられており、移動アーム１４８には、支軸１４８ａを中心に図４において時計回り方向への回転付勢力が付与されている。
【００４９】
ローラ１４８ｂは、カム軸１４４の中程に間隔をおいて固着された円板１４４ａ，１４４ｂ間に配置されており、カムフォロア１４８ｃは、引張ばね１５０の付勢力によってその周面を段差カム１４９の輪郭外周面に圧接させている。各円板１４４ａ，１４４ｂ間の間隔は、ローラ１４８ｂの直径よりも僅かに大きくなるように形成されている。
【００５０】
段差カム１４９は、その輪郭外周面に３箇所のカム部１４９ａ，１４９ｂ，１４９ｃを有しており、筐体側板に回転自在に支持された支軸１５１に固着されている。支軸１５１には、筐体側板に取り付けられたステッピングモータ１５２の出力軸に取り付けられたギヤ１５３と噛み合うギヤ１５４が取り付けられている。段差カム１４９は、ステッピングモータ１５２の作動により図４の矢印方向に回転駆動される。この構成により、ステッピングモータ１５２が作動して段差カム１４９が回転すると、移動アーム１４８が支軸１４８ａを中心に揺動し、ローラ１４８ｂが円板１４４ａあるいは円板１４４ｂを押すことで、カム軸１４４が図４の左右方向に移動する。
【００５１】
各カム部１４９ａ，１４９ｂ，１４９ｃは、カムフォロア１４８ｃとカム部１４９ａとが当接したときにカム板１４３Ｂがカムフォロア１４１と当接可能位置となるように、カムフォロア１４８ｃとカム部１４９ｂとが当接したときにカム板１４３Ａがカムフォロア１４１と当接可能位置となるように、カムフォロア１４８ｃとカム部１４９ｃとが当接したときにカム板１４３Ｃがカムフォロア１４１と当接可能位置となるように、カム軸１４４を移動させる形状にそれぞれ形成されている。
【００５２】
図６を参照して、孔版印刷装置１の上記各部・装置に動作指示を与えたり、その動作状態を知るための操作部としての操作パネル６９を説明する。操作パネル６９は、筐体の上部前面に設けられており、製版スタートキー７０、印刷スタートキー７１、試し刷りキー７２、クリア／ストップキー７３、テンキー７４、４方向キー７５、印刷速度設定キー７６、ＬＣＤ（液晶表示装置）およびタッチパネル駆動装置を備えて構成された画面操作部７７、メイン電源スイッチ７９、メイン電源表示器７９ａを有している。
操作パネル６９には、同図に示すように、上記した以外の各種キーや表示装置等が配設されているが、本実施形態で使用する主なもののみを挙げた。
【００５３】
製版スタートキー７０は、排版部５をして排版動作を起動させる排版起動信号および製版給版部３をして製版給版動作を起動させる製版起動信号を生成する製版起動手段として機能する。また、製版スタートキー７０は、機密保持モードの設定を解除する機密保持モード解除手段としても機能する。
印刷スタートキー７１は、印刷部２をして印刷動作を起動させる印刷起動信号を生成する印刷起動手段として機能すると共に、図５に示した機密関連情報が製版されたマスタ３４の製版外エリア３４ｂ部位の情報製版部３４ｃまたは３４ｄだけを印刷すべく設定する機密関連情報印刷設定手段として機能する。
【００５４】
画面操作部７７のＬＣＤ表示部は、上記各部・装置の動作状態やユーザ（機密保持モード設定者を含む）が操作・入力すべき内容、後述する機密関連情報として機密保持モード設定者に関する情報等の入力を促す表示等をすることにより、ユーザ（機密保持モード設定者を含む）に知らせる表示手段ないし報知手段として機能する。画面操作部７７に加えて、報知手段としての音声ガイド等を付加してもよい。
画面操作部７７のタッチパネルは、上記各部・装置に各種動作指示を与える動作指示手段として機能する。画面操作部７７のタッチパネルには、印刷を行う者以外にその印刷物およびその製版済みのマスタの内容を知られたくない場合に機密保持モードを設定する機密保持モード設定手段としての機密保持キー７８等が配設されている。
【００５５】
メイン電源スイッチ７９は、孔版印刷装置１の上記各部・装置への電力供給の断接を行うものであり、メイン電源表示器７９Ａは、ＬＥＤ（発光ダイオード）からなり、メイン電源スイッチ７９の投入・オン／オフ状態を点灯／消灯することにより報知する公知のものである。
操作パネル６９からの出力信号は制御手段８０に送信され、制御手段８０からの指令信号は上記各部・装置および画面操作部７７のＬＣＤ表示部へ送信される。
【００５６】
図７を参照して、孔版印刷装置１の制御構成を説明する。筐体内部には、孔版印刷装置１の動作を制御する制御手段８０が配設されている。同図において、制御手段８０はＣＰＵ８５、記憶手段としてのＲＡＭ８６およびバックアップＲＡＭ８８、ＲＯＭ８７、図示しないバックアップタイマ等を有して構成されたマイクロコンピュータを具備している。
【００５７】
ＣＰＵ８５には、画像読取部３２で読み取られ、その内部の原稿画像読取回路３２で処理された後、さらに図示しない画像処理装置を介して画像処理された画像データ信号と、パルス検出センサ２３で検出され、図示しないパルスカウンタおよび比較器を通過した版胴駆動モータ１２の角度信号と、操作パネル６９の各種キーからの出力信号と、ホームポジションセンサ２６からの出力信号と、機密モード位置センサ２７からの出力信号とが、図示しない入力ポートを介して入力される。入力された各種信号は、ＲＯＭ８７に記憶された動作プログラムに基づいて処理され、印刷部２、給紙部４および排紙部６を駆動制御する主駆動回路と、製版給版部３を駆動制御する製版給版駆動回路（サーマルヘッド３７を駆動制御するサーマルヘッド駆動回路を含む）と、排版部５を駆動制御する排版駆動回路とに、図示しない出力ポートを介してそれぞれ動作指令信号として出力される。
【００５８】
ＲＡＭ８６には、ＣＰＵ８５によってＲＯＭ８７より呼び出された動作プログラムが一時的に書き込まれる。書き込まれた動作プログラムは、操作パネル６９からの入力によって書き換えられる。また、バックアップＲＡＭ８８は、機密保持モード設定者によって設定・入力される機密保持モード設定者に関する情報、機密保持モード設定時間および機密保持モード解除可能時間等を記憶する機能を有する。バックアップＲＡＭ８８は、電池でバックアップされており、書き込まれた上記機密関連情報（データ）は、孔版印刷装置１のメイン電源（図６のメンイン電電スイッチ７９参照）が切られても上記バックアップタイマによって計時される機密保持モード設定時間内は消去されないように構成されている。
【００５９】
ＲＡＭ８６に書き込まれた機密保持モードプログラムは、操作パネル６９からの入力によって書き換えることはできず、製版スタートキー７０が押されたときのみ消去される。
ＲＯＭ８７には、孔版印刷装置１の各部・装置に配設されている各種駆動手段・アクチュエータを作動させる複数の動作プログラムおよび図８に示す動作フローを含む機密保持モードプログラムが記憶されている。
【００６０】
上記構成に基づき、孔版印刷装置１の動作を以下に説明する。
まず、機密保持キー７８を使用しない場合の通常モード時の動作を説明する。ＡＤＦユニット４０上の原稿載置部に複数枚の原稿がセットされ、機密保持モード設定者を含むユーザによって操作パネル６９上の各種キーによって製版条件が設定された後に製版スタートキー７０が押されると、原稿読取部３２において原稿画像が読み取られ、読み取られた画像は図示しない画像信号処理装置で画像処理された上で画像データ信号としてＣＰＵ８５に送られる。
【００６１】
画像読取部３２での画像読取動作と並行して、排版部５では、版胴７の外周面上から使用済みのマスタ３４を剥離する排版動作が行われる。外周面上に使用済みのマスタ３４を巻装している版胴７は、ＣＰＵ８５からの動作指令信号（以下、単に「指令」という）によって作動する版胴駆動モータ１２により回転駆動され、図１において反時計回り方向に回転を開始する。そして版胴７が、その外周面上に巻装した使用済みのマスタ３４の後端が駆動ローラ６０と対応する所定の排版位置に到達したことを、パルス検出センサ２３からの信号に基づいてＣＰＵ８５が判断すると、ＣＰＵ８５からの指令により図示しない移動手段と駆動手段とが作動し、各駆動ローラ５７，６０を回転させると共に下部排版部材５４を版胴７側に移動させる。駆動ローラ６０の外周面が版胴７の外周面上の使用済みのマスタ３４と当接したとき、版胴７は反時計回り方向への回転を継続しており、駆動ローラ６０と当接してすくい上げられた使用済みのマスタ３４は、下部排版部材５４と上部排版部材５３とで挟持され、版胴７の外周面より剥離される。剥離された使用済みのマスタ３４は、下部排版部材５４と上部排版部材５３とで搬送されて排版ボックス５５内に廃棄された後、圧縮板５６によって圧縮される。
【００６２】
版胴７の外周面より使用済みのマスタ３４が全て剥離されると、版胴７はさらに回転を継続する。そして、版胴７が図１に示す所定の給版位置であるホームポジションに到達し、ドグ２５がホームポジションセンサ２６によって検知されると、ホームポジションセンサ２６からＣＰＵ８５にその信号が出力される。ＣＰＵ８５は、ホームポジションセンサ２６からの信号を受けて版胴駆動モータ１２に指令を送り、版胴駆動モータ１２の回転を停止させる。版胴駆動モータ１２の停止により、版胴７がホームポジションで停止すると、ＣＰＵ８５より図示しない開閉手段へ指令が送られ、クランパ１１が時計回り方向に揺動し、版胴７が図１に示す給版待機状態となって排版動作が完了する。
【００６３】
排版動作が完了すると、これに続いて製版給版動作が行われる。版胴７が給版待機状態となると、ＣＰＵ８５からの指令によってマスタ搬送モータ３５が作動してプラテンローラ３６と各駆動ローラ３１ａ，３１ｃが回転駆動され、マスタロール３４Ａからマスタ３４が引き出される。そして、マスタ搬送モータ３５のステップ数より、マスタ３４の画像形成領域がサーマルヘッド３７の発熱素子と対応する位置に達したことをＣＰＵ８５が判断すると、ＣＰＵ８５より指令が送られ、上記画像データ信号に基づいてサーマルヘッド３７の発熱素子が選択的に発熱し、マスタ３４上に穿孔製版画像が形成される。
【００６４】
穿孔製版画像を形成された製版済みのマスタ３４は、各ガイド板３８，３９にガイドされつつ搬送手段３１によってクランパ１１へと搬送される。マスタ搬送モータ３５のステップ数より、マスタ３４の先端がクランパ１１とステージ部１０との間の所定位置まで到達したことをＣＰＵ８５が判断すると、図示しない開閉手段に指令が送られてクランパ１１が反時計回り方向に揺動し、ステージ部１０とクランパ１１とで製版済みのマスタ３４の先端部を挟持する。その後、ＣＰＵ８５より版胴駆動モータ１２に指令が送られ、版胴７がマスタ３４の搬送速度と同じ周速度で図１中Ａ方向（時計回り方向）に回転駆動され、マスタ３４の版胴７への巻装・給版動作が行われる。そして、マスタ搬送モータ３５のステップ数より、１版分の製版が完了したことをＣＰＵ８５が判断すると、プラテンローラ３６と各駆動ローラ３１ａ，３１ｃの回転が停止すると共に、可動刃３０ｂが回転移動してマスタ３４が切断される。切断された製版済みのマスタ３４は版胴７の回転動作によって引き出され、版胴７が再びホームポジションに到達すると、ＣＰＵ８５からの指令によって版胴駆動モータ１２が停止して巻装・給版動作が完了する。
【００６５】
給版動作に引き続き、版付け動作が行われる。版胴７がホームポジションで停止すると、ＣＰＵ８５からの指令によって図示しないプレスローラ係止手段が作動すると共に図４のステッピングモータ１５２が作動して段差カム１４９が回転され、そのカム部１４９ｂをカムフォロア１４８ｃに当接させる。これにより移動アーム１４８が支軸１４８ａを中心に揺動されてカム軸１４４がカム板１４３Ａをカムフォロア１４１に対して当接可能となる位置に移動された後、図示しないプレスローラ係止手段の作動が解除される。
【００６６】
その後、駆動ローラ４８ａの回転駆動を介して給紙ローラ４７を駆動する上記図示しないステッピングモータの作動により、給紙ローラ４７および駆動ローラ４８ａ、駆動ローラ６５、吸引ファン６７がそれぞれ回転駆動されると共に、ＣＰＵ８５より指令が送られて版胴駆動モータ１２が作動し、版胴７が低速で図１中Ａ方向に回転駆動される。すなわち、給紙ローラ４７と駆動ローラ４８ａとの回転により、給紙トレイ４６上に積載された複数枚の印刷用紙Ｐのうち、最上位の１枚の印刷用紙Ｐのみが引き出され、その印刷用紙Ｐの先端がレジストローラ対４９のニップ部に突き当て一時的に停止され、スキューなどを矯正された後、版胴７に巻装された製版済みのマスタ３４の画像領域の、版胴７の回転方向における先端部が、プレスローラ９と対応する位置に到達したことを、パルス検出センサ２３からの信号に基づいてＣＰＵ８５が判断すると、ＣＰＵ８５よりレジストモータ５０に指令が送られてレジストローラ対４９が所定のタイミングで回転駆動されることにより、印刷用紙Ｐを版胴７とプレスローラ９との間に給送する。
【００６７】
この際、版胴７の回転に同期して、プレスローラ接離機構１５５ではカム軸１４４およびこれと一体に設けられた多段カム１４３が回転駆動されており、上述したようにカムフォロア１４１と当接可能となる位置に移動されたカム板１４３Ａは、上記所定のタイミングにおいてその大径部をカムフォロア１４１から離脱させる。これによりプレスローラ９がその外周面を版胴７の外周面に印圧ばね１４２の付勢力によって圧接させることで、レジストローラ対４９より給送された印刷用紙Ｐは、プレスローラ９によって版胴７上の製版済みのマスタ３４に押圧される。
この押圧動作により、プレスローラ９と印刷用紙Ｐと製版済みのマスタ３４と版胴７の外周面とが圧接し、インキローラ１４によって版胴７の内周面に供給されたインキは、版胴７の外周面の開孔部とメッシュスクリーンより滲出した後、版胴７の外周面と製版済みのマスタ３４の多孔性支持体に充填された後、製版済みのマスタ３４の穿孔部を介して印刷用紙Ｐに転移され、いわゆる版付けが行われる。インキを転移された印刷用紙Ｐは、剥離爪６３の先端で版胴７の外周面より剥離されて下方へと落下し、吸引ファン６７の吸引力によってゴムベルト６６の上面に引き付けられつつ左方へと搬送され、排紙トレイ６８上に排出される。その後、版胴７は再びホームポジションまで回転して停止し、この一連の工程によって版付け動作が完了し、孔版印刷装置１は印刷待機状態となる。
【００６８】
上述の、原稿読取、排版、製版、給版、版付けの各動作が完了して、印刷待機状態となった孔版印刷装置１において、ユーザによって試し刷りキー７２が押されると、上記版付け動作と同様に、給紙トレイ４６上の最上位の１枚の印刷用紙Ｐが給紙ローラ４７と分離手段４８とによって引き出され、レジストローラ対４９のニップに一時的に停止されると共に、ＣＰＵ８５より指令が送られて版胴駆動モータ１２が作動し、版胴７が高速で回転駆動される。レジストローラ対４９は、版付け動作と同じ所定のタイミングで、高速回転している版胴７とプレスローラ９との間に印刷用紙Ｐを給送する。給送された印刷用紙Ｐは、プレスローラ９によって版胴７上の製版済みのマスタ３４に押圧されてインキを転移され、その上面に印刷画像を形成された後、剥離爪６３によって版胴７の外周面より剥離され、ゴムベルト６６によって左方へと搬送されて、排紙トレイ６８上に排出される。版胴７は再びホームポジションに戻り、試し刷り動作が完了する。
【００６９】
この試し刷りによって印刷画像の濃度や位置を確認し、これらを操作パネル６９上の各種キーで調整して再度試し刷りを行った後、テンキー７４で印刷枚数を設定し、適宜、印刷速度設定キー７６で印刷速度を設定し、印刷スタートキー７１を押すことにより、給紙部４より印刷用紙Ｐが連続的に給送され、印刷動作が行われる。設定された印刷枚数の印刷動作完了後に、版胴７は再びホームポジションに戻り、孔版印刷装置１は再び印刷待機状態となる。
【００７０】
図８等を参照しながら、機密保持モード設定者が機密保持キー７８を使用して機密保持モードを設定した場合の孔版印刷装置１の動作を説明する。
本実施形態の機密保持モード設定の時機（タイミング）は、上記特許文献１のそれと基本的に異なる。すなわち、上記特許文献１の機密保持モード設定時機は、上述と同様に、製版、給版、版付け、適宜の試し刷り、印刷の各工程を経て印刷物を得た印刷動作完了後であって、その印刷物の内容およびそれに用いた製版済みのマスタが機密を要する場合に、機密保持キーを押して設定するものであった。
図８に示す本実施形態および従来の技術の機密保持モードは、上記特許文献１の機密保持モード設定時機と比べて、機密保持を要するマスタの製版前に、機密保持キー７８を使用して機密保持モードを設定する点が相違する。
【００７１】
機密保持モード設定者は図６に示すように機密保持モード設定に係る初期画面を画面操作部７７に表示させるための操作を行う。この初期画面を画面操作部７７に表示させるには、例えば、孔版印刷装置１を共同で使用し機密保持を図るために同じ目的をもった機密保持モード設定者たちが予め各種キーとの組み合わせで設定したサービスプログラムによって、あるいは予め取り決めた暗証番号等で呼び出し・表示させることが望ましい。ここでは、例えば暗証番号を操作パネル６９のテンキー７４を用いて入力し、図６の初期画面を画面操作部７７に表示させるものとする。
【００７２】
図６に示した画面操作部７７の初期画面において、機密保持モード設定者が「機密保持モード設定」と表示されている機密保持キー７８部分をタッチすると、機密保持モード設定に係る信号がＣＰＵ８５に送られる。ＣＰＵ８５はＲＯＭ８７より機密保持モードプログラムを呼び出し、ＲＡＭ８６に機密保持モードプログラムを書き込むと共に、操作パネル６９に信号を送り、「機密保持モード設定」キー７８部分を白黒反転表示して機密保持モードが設定されたことを表示する（ステップＳ１）。
【００７３】
機密保持モードが設定されると、図９に示す画面操作部７７に自動的に切り換わり、そのＬＣＤ表示部に「機密情報入力しますか？」、「イエス（はい）」、「ノー（いいえ）」選択画面が表示される（ステップＳ２）。
このステップＳ２において、機密保持モード設定者がノーキー９０ｂをタッチすると、上記した従来とおりの機密保持モードが設定される（ステップＳ３）。
【００７４】
すなわち、従来の機密保持モードとは、上述と同様に、機密保持を要する製版前に設定されるモードである。この従来の機密保持モードでは、印刷スタートキー７１からの印刷起動信号や試し刷りキー７２からの試し刷り起動信号等はＣＰＵ８５によって無効化されて受付されないが、製版スタートキー７０からの排版起動信号および製版起動信号のみはＣＰＵ８５によって有効化されて受付されると共に、版胴７に巻装された製版済みのマスタの製版画像が他の者には見ることができないモードである。
【００７５】
具体的には、ＲＡＭ８６への機密保持モードプログラムの書き込み動作後、ＣＰＵ８５は版胴駆動モータ１２へ指令を送り、ホームポジションで停止している版胴７を、ドグ２５が機密モード位置センサ２７に検知されるまで（図２において距離Ｌだけ）回動させる。以後、ユーザによって印刷スタートキー７１または試し刷りキー７２が押されると、操作パネル６９よりＣＰＵ８５に印刷起動信号または試し刷りキー７２からの試し刷り起動信号が送られるが、ＣＰＵ８５はこれを受付せず、ＲＡＭ８６に機密保持モードプログラムが書き込まれていることを認識し、主駆動回路へ指令を出力しないため、孔版印刷装置１は印刷動作と試し刷り動作とを行わない。また、ＣＰＵ８５は、印刷スタートキー７１または試し刷りキー７２が押され、その信号が入力されると、操作パネル６９に信号を送り、画面操作部７７のＬＣＤ表示部に「印刷不可」のメッセージを表示させる。
【００７６】
この機密保持モード状態は、製版スタートキー７０が押されるまで継続される。製版スタートキー７０が押されると、ＣＰＵ８５は、ＲＡＭ８６に書き込まれた機密保持モードプログラムを消去すると共に排版駆動回路と製版駆動回路とに指令を送り、孔版印刷装置１に、排版動作に続いて製版動作を実行させて孔版印刷装置１を印刷待機状態とさせる。
【００７７】
上述のように、従来の機密保持モードでは、印刷動作と試し刷り動作とを禁止することに加え、版胴７をホームポジションから回動させることにより、フランジ部１７ｂの切り欠き部とフランジ部１８ｂの切り欠き部との位置を違え、孔版印刷装置１筺体からの版胴７の離脱を禁止しているため、孔版印刷装置１より版胴７を外し、他の同種の孔版印刷装置によって印刷を行うことで機密が漏洩する事態や、版胴７より製版済みのマスタを剥離させ、マスタそのものを解読することで機密が漏洩する事態をも防止することができるものであった。
【００７８】
上述の従来の機密保持モードに加えて、本出願人が上記特許文献２で提案した機密保持モードの構成および動作を付加することがより好ましい。すなわち、図１の孔版印刷装置１ではその説明を省略したが、ユニット化された版胴７が装置本体としての筐体より離脱する際に、孔版印刷装置１の前面側にロック機構を具備した開閉自在な前ドアカバーや、ロック機構を具備した排版ボックス５５をそれぞれ筐体より離脱させないように、各ロック機構を制御するよう構成することが望ましい。これは、同公報に開示されているように、版胴上の製版済みのマスタを見ることができる全ての状態を不可とすべく、メイン電源オフ後も各ロック状態が維持される。ユニット化されたプロッタ（製版給版部）があれば、その離脱禁止・ロックも同様である。
【００７９】
一方、図８のステップＳ２および図９において、機密保持モード設定者がイエスキー９０ａをタッチしてこれを白黒反転表示させたときには、ステップＳ４に進み、図１０に示す画面操作部７７に自動的に切り換わり、「１．氏名、２．所属、３．電話番号、４．設定期間」等が入力できるＬＣＤ表示画面に変わる。
この際、機密保持モード設定者が図１０の画面操作部７７に表示された「１．氏名」のタッチキー部分をタッチすると、図１１に示す画面操作部７７に自動的に切り換わるので、その画面操作部７７のタッチパネルとＬＣＤを使用してひらがな５０音等の文字入力を行うことができる。これは、「２．所属」の入力も同様である。
次いで、「３．電話番号」のタッチキー部分をタッチすると、図１２に示す画面操作部７７に自動的に切り換わるので、その画面操作部７７のタッチパネルとＬＣＤを使用して英数字等の文字・数値入力を行うことができる。これは、「４．設定期間」の入力も同様である。
これにより、機密関連情報として「１．氏名」、「２．所属」および「３．電話番号」の機密保持モード設定者に関する情報、「４．設定期間」の機密保持モード設定時間、機密保持モード解除可能時間等の情報・データが入力されたら、このデータはバックアップＲＡＭ８８に記憶・保存される（ステップＳ５）。
【００８０】
次いで、ステップＳ６に進んで、図１３に示す画面操作部７７に自動的に切り換わり、「製版外エリアに製版しますか？」「イエス（はい）」、「ノー（いいえ）」という選択画面に変わる。ここで、機密保持モード設定者がイエスキー９０ａをタッチすると、ステップＳ９に進んで、「製版外エリア製版モード」が自動的に設定される。
この「製版外エリア製版モード」は、従来の機密保持モードとは異なり、図５に示した製版外エリア３４ｂとして先端部または後端部の情報製版部３４ｃ，３４ｄの何れか一方にのみ、ステップＳ４で入力した機密関連情報に応じた製版を許可し、かつ、その情報製版部３４ｃまたは３４ｄに応じた部位だけの印刷を許可するモードであり、「４．設定期間」で入力・設定された機密保持モード設定時間、機密保持モード解除可能時間が経過しないと製版はおろか、印刷もできないモード(状態)となる。
【００８１】
すなわち、従来の機密保持モードでは、ＣＰＵ８５が製版スタートキー７０からの排版動作起動信号および製版動作起動信号を有効化して受付していたが、本実施形態に特有の「製版外エリア製版モード」が設定されると、ＣＰＵ８５は印刷スタートキー７１または試し刷りキー７２からの各起動信号は元より、製版スタートキー７０からの上記各起動信号を無効化して受付せず、「４．設定期間」で入力・設定された機密保持モード設定時間、機密保持モード解除可能時間が経過するまでそのモード状態を維持することとなる。
【００８２】
機密を要する画像データに応じての製版動作が上述と同様に通常の製版エリア３４ａになされると共に、この際、バックアップＲＡＭ８８に記憶された機密保持モード設定者情報等に基づいて、製版外エリア３４ｂの情報製版部３４ｃ（または３４ｄ）に製版される。
すなわち、マスタ３４の情報製版部３４ｃへの上記製版は、通常の製版エリア３４ａに製版する場合と比べてサーマルヘッド３７での製版開始タイミングを早めると共に、マスタ搬送モータ３５へ付与するパルス数を上記製版開始タイミングに合わせて、ＣＰＵ８５によって適正に制御される。マスタ３４の情報製版部３４ｄへの上記製版は、通常の製版エリア３４ａに製版する場合と比べてサーマルヘッド３７での製版駆動時間を長めにすればよい。
【００８３】
次いで、ステップＳ１０に進んで、「製版禁止モード」の設定が自動的になされる。この際、画面操作部７７のＬＣＤ表示部に、「現在、機密保持モード製版禁止状態です。」というメッセージが表示されるので、他のユーザが孔版印刷装置１を使用しようとした場合、機密保持モード設定者が機密保持モードを設定中であることを理解して、印刷スタートキー７１を押下すると、製版済みのマスタ３４の情報製版部３４ｃに製版された機密保持モード設定者に関する情報等、すなわち「１．氏名」、「２．所属」、「３．電話番号」、「４．設定期間」だけが印刷される。
この際、ＣＰＵ８５は、機密保持モード設定者が機密関連情報を設定し、かつ、機密関連情報が製版されたマスタ３４の製版外エリア３４ｂの情報製版部３４ｃ（または情報製版部３４ｄ）部位だけを印刷可能に設定したとき、製版スタートキー７０からの製版起動信号の入力を無効化して受付しないように機能する。また、印刷スタートキー７１は、機密関連情報が製版されたマスタ３４の情報製版部３４ｃ（または３４ｄ）だけを印刷すべく設定する機密関連情報印刷設定手段として機能する。
【００８４】
これにより、他のユーザは製版済みのマスタ３４の情報製版部３４ｃだけの印刷物内容を確認することが可能となり、機密保持モードの「４．設定時間」が経過してから孔版印刷装置１を使用する等しなければならないことを認識できる。必要によっては、機密保持モード設定者への連絡によって解除してもらうことも勿論可能である。この際、ＣＰＵ８５は、機密保持モード設定者が設定した「４．設定時間」を超えたとき、製版スタートキー７０からの製版起動信号の入力のみ有効化するよう機能する。
なお、上述の状態は孔版印刷装置１のメイン電源がオフされてもパックアップＲＡＭ８８にて記憶していて、図示しないバックアップタイマにて時間計測しているので問題が生じることはない。
【００８５】
説明が前後するが、ここで図１、図３〜図５を参照して、製版済みのマスタ３４の情報製版部３４ｃだけを印刷するときのプレスローラ接離機構１５５、印刷部２および給紙部４の動作を補説する。
上述した特有の製版動作、給版動作に引き続き、特有の給紙、印刷動作が行われる。版胴７がホームポジションで停止すると、ＣＰＵ８５からの指令によって図４のステッピングモータ１５２が作動して段差カム１４９が回転されると共に図示しないプレスローラ係止手段が作動され、カム部１４９ａをカムフォロア１４８ｃに当接させる。これにより移動アーム１４８が支軸１４８ａを中心に揺動されてカム軸１４４がカム板１４３Ｂをカムフォロア１４１に対して当接可能となる位置に移動された後、図示しないプレスローラ係止手段の作動が解除される。
【００８６】
その後、図示しないステッピングモータが所定のタイミングで作動することにより、給紙ローラ４７、駆動ローラ４８ａがそれぞれ回転駆動されると共に、駆動ローラ６５、吸引ファン６７がそれぞれ駆動される。そして、版胴７が印刷速度設定キー７６で設定された印刷速度で図１の矢印Ａ方向に回転駆動され、給紙トレイ４６上から１枚の印刷用紙Ｐが分離・給送されてその先端をレジストローラ対４９のニップ部に突き当て一時的に停止される。その後、版胴７上に巻装された図５の製版済みのマスタ３４の矢印Ａ方向における情報製版部３４ｃの製版画像領域先端部がプレスローラ９と対応する位置に到達する所定のタイミングで、レジストモータ５０が作動されることによりレジストローラ対４９が回転駆動されることで、一時的に停止されていた印刷用紙Ｐは版胴７とプレスローラ９との間に向けて給送される。
【００８７】
上記所定のタイミングにおいて、カムフォロア１４１と当接可能である位置に移動されたカム板１４３Ｂはその大径部をカムフォロア１４１から離脱させ、プレスローラ９が印圧ばね１４２の付勢力によってその周面を版胴７の外周面に圧接させる。これによりプレスローラ９と印刷用紙Ｐと製版済みのマスタ３４における情報製版部３４ｃの製版画像形成部と版胴７とが圧接し、インキローラ１４によって版胴７の内周面に供給されたインキが版胴７の開口部より滲出し、版胴７に巻装された図示しないメッシュスクリーン、および製版済みのマスタ３４における情報製版部３４ｃの製版画像穿孔部を通過して印刷用紙Ｐに転移され、製版済みのマスタ３４における情報製版部３４ｃの製版画像形成部分のみが印刷されることとなる。
なお、製版済みのマスタ３４における情報製版部３４ｄの製版画像形成部分のみに対する給紙および印刷動作は、上述した情報製版部３４ｃのみに対する給紙および印刷動作と比較して、情報製版部３４ｄの製版画像領域先端部がプレスローラ９と対応する位置に到達する所定のタイミングで、レジストモータ５０が作動される点、プレスローラ接離機構１５５のカム板１４３Ｃが選択されて用いられる点が主に相違するだけであり、上述した内容から当業者であれば容易に理解し実施できるからその説明を省略する。
【００８８】
説明が前後するが、図８のステップＳ６および図１３の画面操作部７７のＬＣＤ選択画面に表示された「製版外エリアに製版しますか？」において、ノーキー９０ｂをタッチすると、ステップＳ７に進んで、図１４に示すように「製版スタートキー許可されます。よろしいですか？」「イエス（はい）」、「ノー（いいえ）」という画面操作部７７のＬＣＤ選択画面が自動的に表示される。
【００８９】
ここで、イエスキー９０ａをタッチすると、ステップＳ１１に進んで、上述したと同様の従来の機密保持モードが設定される。この際、製版スタートキー７０およびイエスキー９０ａは、機密保持モードの設定を解除する機密保持モード解除手段として機能する。そして、ＣＰＵ８５は、製版スタートキー７０からの製版起動信号に基づいて、機密保持モードの設定を解除すると共に、機密保持モード設定者に関する情報を自動的に取り消すようバックアップＲＡＭ８８を制御する。
また、ノーキー９０ｂをタッチすると、ステップＳ８に進んで、ステップＳ６および図１３に示したと同様の表示が画面操作部７７のＬＣＤ表示部になされる。ステップＳ８および図１３に示したと同様の「製版外エリアに製版しますか？」「イエス（はい）」、「ノー（いいえ）」という選択画面において、機密保持モード設定者がイエスキー９０ａをタッチすると、ステップＳ９に進み、ノーキー９０ｂをタッチすると、ステップＳ１１の上述したと同様の従来の機密保持モードが設定される。
【００９０】
以上説明したとり、本実施形態によれば、上記発明の効果の欄に記載した効果を奏することは元より、機密保持モード設定者等の機密関連情報を安易に操作パネル６９における画面操作部７７のＬＣＤ表示部に表示しないことにより、孔版印刷装置１を本当に使用したい他のユーザにのみ知らしめることが可能となり、機密保持モード設定者の個人情報漏洩も防止できる。
【００９１】
本発明に係る印刷装置は、上記実施形態の孔版印刷装置に限らず、例えば、特開平７−１７０１３号公報（特許第２７９０９６３号公報）に開示されているような印刷ドラムの外側からインキを供給する構成のもの、つまり印刷ドラム上のマスタにインキを供給して、印刷画像を用紙上に形成するいわば凹版印刷装置とも呼べるような構成の印刷装置にも準用できる。すなわち、所定の印刷終了後、あるいは印刷途中で印刷ドラム上に機密保持を要する製版済みの版や使用済みの版を残しておく虞のある印刷装置であればどのようなタイプの装置にも適用ないしは準用可能である。
以上述べたとおり、本発明を特定の実施例を含む実施形態等について説明したが、本発明が開示する技術的範囲は、上述した実施形態等に例示されているものに限定されるものではなく、それらを適宜組み合わせて構成してもよく、本発明の範囲内において、その必要性および目的・用途等に応じて種々の実施形態や変形例あるいは実施例を構成し得ることは当業者ならば明らかである。
【図面の簡単な説明】
【００９２】
【図１】本発明の一実施形態を示す孔版印刷装置全体の概略的な正断面図である。
【図２】図１の孔版印刷装置に用いられる版胴の離脱防止機構を示す斜視図である。
【図３】図１の孔版印刷装置に用いられるプレスローラ接離機構の一部断面正面図である。
【図４】図３のプレスローラ接離機構の要部の側面図である。
【図５】図１の孔版印刷装置において、マスタに形成される通常製版エリア、製版外エリア、情報製版部を展開して説明する図である。
【図６】図１の孔版印刷装置に用いられる操作パネルを示す図である。
【図７】図１の孔版印刷装置の制御構成を示すブロック図である。
【図８】図１の孔版印刷装置において、機密保持モード設定された場合の主な動作フローを示すフローチャートである。
【図９】操作パネルの画面操作部に表示される内容を説明する図である。
【図１０】操作パネルの画面操作部に順次表示される内容を説明する図である。
【図１１】操作パネルの画面操作部に表示されるひらがな等の文字入力の一例を示す図である。
【図１２】操作パネルの画面操作部に表示される英数字等の文字入力の一例を示す図である。
【図１３】操作パネルの画面操作部に順次表示される内容を説明する図である。
【図１４】操作パネルの画面操作部に順次表示される内容を説明する図である。
【符号の説明】
【００９３】
１    孔版印刷装置
２    印刷部
３    製版給版部
５    排版部
７    版胴
３４    マスタ
３４ａ  通常の製版エリア
３４ｂ  製版外エリア
３４ｃ，３４ｄ    製版外エリアの情報製版部
３５    マスタ搬送モータ  （マスタ搬送駆動手段）
３７    サーマルヘッド（製版手段）
４９    レジストローラ対（レジスト手段）
５０    レジストモータ（レジスト駆動手段）
６９    操作パネル（操作部）
７０    製版スタートキー（製版起動手段、機密保持モード解除手段）
７１    印刷スタートキー（印刷起動手段、機密関連情報印刷設定手段）
７７    画面操作部
７８    機密保持キー（機密保持モード設定手段）
８０    制御手段
８５    ＣＰＵ
８７    ＲＡＭ
８８    バックアップＲＡＭ
１５５  プレスローラ接離機構（印圧範囲可変手段）
Ａ      版胴の回転方向
Ｐ      印刷用紙（シート・被印刷媒体）
Ｘ      マスタ搬送方向
【図１】
2010137523.tif 000003
【図２】
2010137523.tif 000004
【図３】
2010137523.tif 000005
【図４】
2010137523.tif 000006
【図５】
2010137523.tif 000007
【図６】
2010137523.tif 000008
【図７】
2010137523.tif 000009
【図８】
2010137523.tif 000010
【図９】
2010137523.tif 000011
【図１０】
2010137523.tif 000012
【図１１】
2010137523.tif 000013
【図１２】
2010137523.tif 000014
【図１３】
2010137523.tif 000015
【図１４】
2010137523.tif 000016